(57)【要約】【課題】容器の上部から吸引によって内容物を注出することが可能であり、しかも再封止可能な口栓を提案する。【解決手段】容器２の開口部に取り付けて使用する口栓１であって、口栓本体１０と吸引ストロー２０とキャップ３０とから構成され、口栓本体は、前記キャップが螺合する雄ねじを備えた円筒状の外筒１１と、フランジ部１２と、溶着部１３とが一体に成形されており、吸引ストローは、前記口栓本体の外筒の内周に嵌合し、最下部は容器の底面に到達する円筒状の管であり、最上部に、前記外筒の最上部に係止するためのつば部２１を有し、キャップは、前記口栓本体の外筒に設けられた雄ねじに螺合する雌ねじを内周に有するねじ部３１と、内筒３２とを有し、該内筒の内部には、内筒内周を軸方向に摺動可能な可動弁３３を備えたことを特徴とする口栓である。【選択図】図１
2020006996.tif 000002
【特許請求の範囲】
【請求項１】
容器の開口部に取り付けて使用する合成樹脂製の口栓であって、口栓本体と吸引ストローとキャップとから構成され、
口栓本体は、前記キャップが螺合する雄ねじを備えた円筒状の外筒と、口栓全体を保持するためのフランジ部と、容器の開口部に溶着するための溶着部とが一体に成形されており、
前記吸引ストローは、前記口栓本体の外筒の内周に嵌合し、最下部は容器の底面に到達する円筒状の管であり、最上部に、前記外筒の最上部に係止するためのつば部を有し、
前記キャップは、前記口栓本体の外筒に設けられた雄ねじに螺合する雌ねじを内周に有するねじ部と、前記吸引ストローの内周に嵌合し、内容物を吸引するための吸引プラグを挿入可能な内筒とを有し、該内筒の内部には、内筒内周を軸方向に摺動可能な可動弁を備え、
該可動弁は、前記吸引プラグが挿入されない状態では、前記内筒先端の開口部を閉鎖しており、前記吸引プラグが挿入された時には、吸引プラグの先端と弾性的に係合して内筒内周を摺動し、内筒先端を開放することを特徴とする口栓。
【請求項２】
前記吸引ストローのつば部と、前記キャップとが、キャップ最上部の内側に設けられたコンタクトリングによって密封されることを特徴とする請求項１に記載の口栓。
【請求項３】
前記吸引ストローのつば部と、前記キャップとが、キャップ最上部の内側に挿入された弾性パッキンによって密封されることを特徴とする請求項１に記載の口栓。
【請求項４】
請求項１〜４のいずれか１項に記載の口栓を備えた吸引内容物注出容器。
【発明の詳細な説明】
【技術分野】
【０００１】
本発明は、液体や粉体を収納する容器に取り付けて吸引使用するための口栓に関し、比較的簡単な構造でありながら再開放、再閉塞が可能であり、しかも密封性の良い口栓に関する。
【背景技術】
【０００２】
従来、液体や粉体を収納する容器として、柔軟な袋状の容器に口栓を取付け、全体を紙箱等に収納したいわゆるバッグインボックスと呼ばれる容器が知られている。バッグインボックスは、内容物を一度に全量使用するのではなく、小出しに使用する場合であっても、使用した量に応じて容器が収縮するので、内容物を最後まで空気に触れることなく使用することができるという長所を備えている。
【０００３】
特許文献２に記載された口栓構造、ノズルは、このバッグインボックスに用いる口栓であって、従来の口栓（特許文献１）においてプラグの内周面と雄部材の頭部における寸法精度要求が非常に高くて、使い捨て容器など、コストをかけられないものには採用することができなかったという問題や、内容物を充填する設備において、内容物の変更に伴って設備を改変しなければならず、対応が困難であるという問題を解決しようとしたものである。
【０００４】
従来のバッグインボックスは、箱を所定のサーバーに取り付けて、箱の下部に取り付けられた口栓から、内容物を自然落下で取出す方式が一般的であった。特許文献２に記載された口栓も、同様の構造である。
【０００５】
しかし、内容量が大きな容器であると、相当の重量があるため、持ち上げて倒立させるのが困難な場合がある。そこで、例えばインキを印刷機に供給するための容器等では、吸引ポンプで吸引して使用したいという要求があるが、特許文献２に記載された口栓では、対応することが出来なかった。
【先行技術文献】
【特許文献】
【０００６】
【特許文献１】特許第３４１１２７０号公報
【特許文献２】特開２０１６−２１６０７３号公報
【発明の概要】
【発明が解決しようとする課題】
【０００７】
本発明の解決しようとする課題は、容器の上部から吸引によって内容物を注出することが可能であり、しかも再封止可能な口栓を提案するものである。
【課題を解決するための手段】
【０００８】
上記の課題を解決するための手段として、請求項１に記載の発明は、容器の開口部に取り付けて使用する合成樹脂製の口栓であって、口栓本体と吸引ストローとキャップとから構成され、口栓本体は、前記キャップが螺合する雄ねじを備えた円筒状の外筒と、口栓全体を保持するためのフランジ部と、容器の開口部に溶着するための溶着部とが一体に成形されており、前記吸引ストローは、前記口栓本体の外筒の内周に嵌合し、最下部は容器の底面に到達する円筒状の管であり、最上部に、前記外筒の最上部に係止するためのつば部を有し、前記キャップは、前記口栓本体の外筒に設けられた雄ねじに螺合する雌ねじを内周に有するねじ部と、前記吸引ストローの内周に嵌合し、内容物を吸引するための吸引プラグを挿入可能な内筒とを有し、該内筒の内部には、内筒内周を軸方向に摺動可能な可動弁を備え、該可動弁は、前記吸引プラグが挿入されない状態では、前記内筒先端の開口部を閉鎖しており、前記吸引プラグが挿入された時には、吸引プラグの先端と弾性的に係合して内筒内周を摺動し、内筒先端を開放することを特徴とする口栓である。
【０００９】
本発明に係る口栓は、少ない部品から構成される比較的簡単な構造でありながら、吸引使用が可能であり、可動弁の働きによって、開放、再封止が可能である。
【００１０】
また、請求項２に記載の発明は、前記吸引ストローのつば部と、前記キャップとが、キャップ最上部の内側に設けられたコンタクトリングによって密封されることを特徴とする請求項１に記載の口栓である。
【００１１】
また、請求項３に記載の発明は、前記吸引ストローのつば部と、前記キャップとが、キャップ最上部の内側に挿入された弾性パッキンによって密封されることを特徴とする請求項１に記載の口栓である。
【００１２】
また、請求項４に記載の発明は、請求項１〜４のいずれか１項に記載の口栓を備えた吸引内容物注出容器である。
【発明の効果】
【００１３】
本発明に係る口栓は、口栓本体と吸引ストローとキャップという、少ない部品から構成される比較的簡単な構造であるにも係らず、従来の口栓では不可能であった吸引使用を可能とし、さらに可動弁の働きによって、開放、再封止が可能となった。
【００１４】
構成部品が少なく、しかもいずれの部品も汎用の合成樹脂で成型することができるので、安価に製造できる。
【００１５】
従来、内容物を重力によって容器の下部から供給する必要から、容器全体を倒立させて、専用のサーバー等に載置して使用していたものが、本発明に係る口栓を備えた容器にあっては、吸引使用が可能となったことで、大型の容器であっても、持ち上げたり、倒立させたりする必要が無くなり、使い勝手が向上した。
【００１６】
請求項２に記載の発明や、請求項３に記載の発明のように、吸引ストローのつば部と、キャップとがキャップの締め付けによって密封される構造である場合には、口栓本体の外筒や吸引ストロー、キャップの内筒等の精度を厳密に調整する必要が無くなるため、製造コストが低く抑えられる。
【００１７】
本発明に係る口栓を備えた容器は、特に印刷機や複写機にインキを供給する容器として好ましく使用できる。
【００１８】
本発明に係る口栓は、容器の大きさに応じて、吸引ストローの長さを調節するだけで、他の部品は共通に使用できるので、さまざまなサイズの容器に対応することが容易に可能である。
【図面の簡単な説明】
【００１９】
【図１】図１は、本発明に係る口栓の一実施態様を示した斜視図である。
【図２】図２は、図１の状態から、キャップを取り外した状態を示した斜視図である。
【図３】図３は、図２の状態から吸引ストローを取り外して、本発明に係る口栓を構成する３つの部品を示した斜視図である。
【図４】図４は、本発明に係る口栓の一実施態様を容器に取り付けた状態を模式的に示した断面説明図である。
【図５】図５は、本発明に係る口栓に、吸引プラグを挿入しようとする状態を模式的に示した断面説明図である。
【図６】図６は、図５の状態から、吸引プラグを完全に挿入することにより、可動弁が開放された状態を模式的に示した断面説明図である。
【図７】図７は、本発明に係る口栓の他の実施態様を容器に取り付けた状態を模式的に示した断面説明図である。
【発明を実施するための形態】
【００２０】
以下、図面を参照しながら、本発明に係る口栓について詳細に説明する。図１は、本発明に係る口栓１の一実施態様を示した斜視図である。図２は、図１の状態から、キャップ３０を取り外した状態を示した斜視図である。さらに図３は、図２の状態から吸引ストロー２０を取り外して、本発明に係る口栓１を構成する３つの部品すなわち、口栓本体１０、吸引ストロー２０、キャップ３０を示した斜視図である。また、図４は、本発明に係る口栓１の一実施態様を容器２に取り付けた状態を模式的に示した断面説明図である。
【００２１】
本発明に係る口栓１は、容器２の開口部に取り付けて使用する合成樹脂製の口栓であって、口栓本体１０と吸引ストロー２０とキャップ３０とから構成される。
口栓本体１０は、キャップ３０が螺合する雄ねじ１４を備えた円筒状の外筒１１と、口栓全体を保持するためのフランジ部１２と、容器２の開口部に溶着するための溶着部１３とが一体に成形されている。
吸引ストロー２０は、口栓本体１０の外筒１１の内周に嵌合し、最下部は容器２の底面に到達する円筒状の管であり、最上部に、外筒１１の最上部に係止するためのつば部２１を有する。吸引ストロー２０の長さを容器のサイズに応じて調節することにより、さまざまなサイズの容器に適用することができる。なお吸引ストロー２０の先端部は、容器の底面に吸着しないように、凹凸を設けても良い。
キャップ３０は、口栓本体１０の外筒１１に設けられた雄ねじ１４に螺合する雌ねじを内周に有するねじ部３１と、吸引ストロー２０の内周に嵌合し、内容物を吸引するための吸引プラグ４０を挿入可能な内筒３２とを有し、内筒３２の内部には、内筒内周を軸方向に摺動可能な可動弁３３を備えている。
可動弁３３は、図５に示したように、吸引プラグ４０が挿入されない状態では、内筒３２の先端の開口部を閉鎖しており、図６に示したように、吸引プラグ４０が挿入された時には、吸引プラグの先端と弾性的に係合して内筒内周を摺動し、内筒３２の先端を開放する。
【００２２】
口栓１から吸引プラグ４０を抜去すれば、可動弁３３は、吸引プラグの先端部に係合しているため、吸引プラグと共に元の場所に移動して、内筒３２の先端の開口部を再び閉鎖する。すなわち、容器の再封止、再開放が可能である。
【００２３】
図４に示した例では、吸引ストロー２０のつば部２１と、キャップ３０とは、キャップ最上部の内側に設けられたコンタクトリング３４によって密封されている。
【００２４】
一方、図７に示した例では、吸引ストロー２０のつば部２１と、キャップ３０とは、キ
ャップ最上部の内側に挿入された孔あき円盤状の弾性パッキン３５ａによって密封されており、吸引ストロー２０のつば部と、口栓本体１０とは、口栓本体最上部に配置された孔あき円盤状の弾性パッキン３５ｂによって密封されている。弾性パッキン３５ａ、３５ｂとしては、各種ゴム材料を用いることができる。
【００２５】
一方、吸引プラグ４０とキャップ３０の内筒３２とは、図５に示したような吸引プラグに取り付けられたリングパッキン４１によって密封されるので、吸引動作において、空気や内容物が漏れ出す恐れはない。
【００２６】
特に図示しないが、本発明に係る口栓１を取り付けた容器２に内容物を充填するには、吸引プラグ４０と同じ形状の充填ノズルを口栓に挿入して、図６に示したと同じ、可動弁３３を開放した状態で、充填することができる。
【００２７】
本発明に係る口栓１に使用する材料としては、各種合成樹脂を用いることができる。具体的には、低密度ポリエチレン樹脂（ＬＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、ポリオレフィン系エラストマー等のポリオレフィン系樹脂や、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、ポリメチルメタアクリレート樹脂（ＰＭＭＡ）、ポリアクリロニトリル系樹脂、ＡＢＳ樹脂、ナイロン−６、ナイロン−６６等のポリアミド系樹脂、ポリスチレン系樹脂（ＰＳ）、ポリ塩化ビニル樹脂（ＰＶＣ）、ポリ塩化ビニリデン樹脂（ＰＶＤＣ）、ポリカーボネート樹脂（ＰＣ）、ポリアセタール樹脂、ポリサルフォン樹脂、フッ素樹脂等である。
【００２８】
具体的な組合わせの例を挙げれば、口栓本体１０や吸引ストロー２０、可動弁３３としては、ポリエチレン（ＰＥ）樹脂を使用し、キャップ３０としては、それより硬めのＰＰ樹脂を使用すると良い。
【００２９】
吸引ストロー２０のつば部２１と、キャップ３０とが、キャップ最上部の内側に設けられたコンタクトリング３４によって密封される場合には、吸引ストロー２０の材質としては、パッキン性のある軟質のＬＤＰＥ樹脂、ＬＬＤＰＥ樹脂やこれらの共重合体で、曲げ弾性率が２００ＭＰａ未満の材料を使用することが好ましい。
【００３０】
一方、吸引ストロー２０のつば部２１と、キャップ３０とが、キャップ最上部の内側に挿入された弾性パッキン３５ａによって密封される場合には、吸引ストロー２０の材質としては、ＰＥ樹脂の他、ＰＰ樹脂、ＡＢＳ樹脂等の硬い材料も使用することができる。この場合、吸引ストロー２０と口栓本体１０との密封を図るために、両者の間に弾性パッキン３５ｂを挿入するのが望ましい。
【符号の説明】
【００３１】
１・・・口栓
２・・・容器
１０・・・口栓本体
１１・・・外筒
１２・・・フランジ部
１３・・・溶着部
１４・・・雄ねじ
２０・・・吸引ストロー
２１・・・つば部
３０・・・キャップ
３１・・・ねじ部
３２・・・内筒
３３・・・可動弁
３４・・・コンタクトリング
３５ａ、３５ｂ・・・弾性パッキン
４０・・・吸引プラグ
４１・・・リングパッキン
【図１】
2020006996.tif 000003
【図２】
2020006996.tif 000004
【図３】
2020006996.tif 000005
【図４】
2020006996.tif 000006
【図５】
2020006996.tif 000007
【図６】
2020006996.tif 000008
【図７】
2020006996.tif 000009